(57)【要約】      （修正有）【課題】昨今のフィギュア人気に着目し、充電ケーブルのコネクタにフィギュアの頭部の形状を適用することにより、使用に際して、ユーザにとっての趣味感を満足させたり、コミュニケーションに役立てられる充電ケーブルを提供する。【解決手段】入力コネクタ５０と出力コネクタと中継ケーブル７０とを有し、入力コネクタ５０の摘み部５２の形状を、自然物や人形その他の人工物を含む有形物に似せて形作る。有形物には、正面視矩形の平坦な顔面相当部に２つの円形の目相当部と１つの三角形の鼻口相当部とを有する横長６面体形状の頭部を備えたフィギュアの頭部を選択することができる。摘み部５２に光源を内蔵し、光源の光が円形孔５３ａを通して外部から見えるようにする。【選択図】図２
0003193607.tif 000002
【実用新案登録請求の範囲】
【請求項１】
給電機器側の出力コネクタに接続可能な入力コネクタと、充電機器側の入力コネクタに接続可能な出力コネクタと、を有し、入力コネクタに備わっている第１摘み部及び出力コネクタに備わっている第２摘み部から突出されている端子同士が、第１及び第２の上記摘み部から引き出された中継ケーブルによって電気的に接続されている充電ケーブルであって、
上記第１摘み部及び第２摘み部のうちの少なくとも一方側の摘み部の形状が、自然物や人形その他の人工物を含む有形物に似せて形作られていることを特徴とする充電ケーブル。
【請求項２】
上記有形物が、正面視矩形の平坦な顔面相当部に２つの円形の目相当部と１つの三角形の鼻口相当部とを有する横長６面体形状の頭部を備えたフィギュアの上記頭部である請求項１に記載した充電ケーブル。
【請求項３】
有形物に似せて形作られた横長６面体形状の上記摘み部の片側端面から上記端子が突出されていて、その摘み部の上記片側端面にコーナー部を介して隣接する横長の前側端面に、上記目相当部に相応する円形状の図形と上記鼻口相当部に相応する三角形状の図形とが表現されている請求項２に記載した充電ケーブル。
【請求項４】
有形物に似せて形作られた摘み部が第１摘み部であり、上記円形状の図形が、その第１摘み部の上記前側端面に開設された円形孔の開口縁によって表現されていると共に、上記摘み部に内蔵されて、入力コネクタに電圧が印加されることによって発光する光源の光が、上記円形孔を通して外部から見えるように構成されている請求項３に記載した充電ケーブル。
【請求項５】
上記給電機器がパーソナルコンピュータであり、上記充電機器がモバイル端末機器である請求項１ないし請求項４のいずれか１項に記載した充電ケーブル。
【考案の詳細な説明】
【技術分野】
【０００１】
本考案は、充電ケーブル、特に、入力コネクタと出力コネクタとが、中継ケーブルによって電気的に接続されている充電ケーブルに関する。
【背景技術】
【０００２】
先行例に係る充電ケーブルとして、ケーブル線の両端部にＵＳＢプラグとオーディオプラグとを設けたものが知られている（特許文献１参照）。また、他の先行例に係る充電ケーブルとして、パーソナルコンピュータから携帯電話機への電源電圧の供給を行うものが知られている（特許文献２参照）。そして、特許文献１で提案されている充電ケーブルでは、ＵＳＢプラグやオーディオプラグが、摘み部とその摘み部から突出する端子とを備えていることが示されていて、その摘み部は、正面視台形ないし矩形に形作られている。
【０００３】
ところで、近時では、様々なキャラクターをかたどったフィギュアの人気が高まっている。そのようなフィギュアの１つとして、図４に正面図で示したものがある。同図のフィギュアは、横長６面体形状の頭部１、この頭部１を支えている胴体部２、胴体部２に取り付けられた左右の腕部３，３及び左右の脚部４，４、などを備えている。そして、頭部１、胴体部２、腕部３，３及び脚部４，４には、あたかも段ボール製であるかのような色味や造作が付与されていると共に、胴体部２に対して、頭部１と腕部３，３と脚部４，４とが揺動可能になっている。また、横長６面体形状の頭部１が、正面視矩形の平坦な顔面相当部１２に開設された２つの円形の目相当部１３，１３と１つの三角形の鼻口相当部１４とを有している。
【先行技術文献】
【特許文献】
【０００４】
【特許文献１】特開２０１３−１２２６９８号公報（図１、図３）
【特許文献２】特開２００３−２１９０４９号公報
【考案の概要】
【考案が解決しようとする課題】
【０００５】
そこで、本考案者は、図４に示したフィギュアの形状を、先行例に示されているような充電ケーブルのプラグといったコネクタに利用したものをユーザに提供することができるようになると、ユーザにとっては、その充電ケーブルを利用することにより、パーソナルコンピュータから取り出した電力をモバイル端末機器に内蔵されている二次電池に充電して利用することが可能になるという利便性が得られるだけでなく、そのことと併せて、今までになかった充電ケーブルのコネクタの斬新な外観デザインから図４に示したフィギュアが直ちに連想されるようになり、そのことがユーザの趣味感を満足させたりすることに役立つだけでなく、人の集まりの中で話題になりやすくなってコミュニケーションの活性化などにも役立つという利便性も生じるであろうと考えた。
【０００６】
本考案は、以上説明したような状況の下で図４に示したフィギュアの人気に着目してなされたものであって、同図に示したフィギュアに限らず、動物や植物、野菜などの農作物といった自然物や人形その他の人工物を含む有形物に似せて形作られた摘み部を充電ケーブルのコネクタに具備させることによって、ユーザがその充電ケーブルをモバイル端末機器などの充電に利用することが可能になることは勿論、そのことと併せて、ユーザにとっての趣味感を満足させたり、コミュニケーションに役立てることが可能になる充電ケーブルを提供することを目的とする。
【課題を解決するための手段】
【０００７】
本考案による充電ケーブルは、給電機器側の出力コネクタに接続可能な入力コネクタと、充電機器側の入力コネクタに接続可能な出力コネクタと、を有し、入力コネクタに備わっている第１摘み部及び出力コネクタに備わっている第２摘み部から突出されている端子同士が、第１及び第２の上記摘み部から引き出された中継ケーブルによって電気的に接続されている。そして、上記第１摘み部及び第２摘み部のうちの少なくとも一方側の摘み部の形状が、自然物や人形その他の人工物を含む有形物に似せて形作られている、という構成を備えている。
【０００８】
この構成を備えた充電ケーブルによると、ユーザが、その入力コネクタを給電機器側の出力コネクタに接続すると共に、その出力コネクタを充電機器側の入力コネクタに接続することにより、給電機器側から供給された電力で充電機器を充電することができるようになる。併せて、その入力コネクタの第１摘み部又は出力コネクタの第２摘み部の形状が、自然物や人形その他の人工物を含む有形物に似せて作られていることにより、それらの摘み部の形状が、ユーザにとって斬新に感じられるようになって趣味感を満足させることに役だったり、周囲の人とのコミュニケーションに役立ったりするという利点が得られる。ここで、「自然物」は、犬、猫、豚などの動物や家畜、自然の草木、キャベツや人参などの農作物といった自然界に存在する有形物を含む概念であり、「人形その他の人工物」は、人や動物、魚類などの人形のほか。建築物、椅子などの家具類、オモチャやキャラクタといった、人工的に作られた有形物を含む概念である。
【０００９】
本考案では、上記有形物が、正面視矩形の平坦な顔面相当部に２つの円形の目相当部と１つの三角形の鼻口相当部とを有する横長６面体形状の頭部を備えたフィギュアの上記頭部である、という構成を採用することが可能である。この構成を採用しておくと、第１又は第２の摘み部の外観が、図４を参照して説明したフィギュアの頭部にそっくりに似せて形作られていることにより、一般的な正面視台形又は矩形の摘み部を有する充電ケーブルに比べて、摘み部の外観デザインが斬新になり、ユーザの趣味感を満足させることに役立つほか、充電ケーブルについての話題性も向上してコミュニケーション用ツールとしても役立つ。
【００１０】
本考案では、有形物に似せて形作られた横長６面体形状の上記摘み部の片側端面から上記端子が突出されていて、その摘み部の上記片側端面にコーナー部を介して隣接する横長の前側端面に、上記目相当部に相応する円形状の図形と上記鼻口相当部に相応する三角形状の図形とが表現されている、という構成を作用しておくことが望ましい。この構成であると、入力コネクタを給電機器側の出力コネクタに接続したり、出力コネクタを充電機器側の入力コネクタに接続したときに、摘み部の横長の前側端面に表現されている円形状や三角形状の図形がユーザにとって見えやすい箇所に位置することになるため、上記した趣味感を満足させやすくなるだけでなく、コミュニケーションツールとしての機能も十分に発揮されるようになる。
【００１１】
本考案では、有形物に似せて形作られた摘み部が第１摘み部であり、上記円形状の図形が、その第１摘み部の上記前側端面に開設された円形孔の開口縁によって表現されていると共に、上記摘み部に内蔵されて、入力コネクタに電圧が印加されることによって発光する光源の光が、上記円形孔を通して外部から見えるように構成されている、という構成を採用することも可能である。これによれば、充電ケーブルの使用中に、入力コネクタに電圧が印加されているか否かを、光源の光の有無で容易に知ることができる。その上、フィギュアの顔部分の目に相応しているところの、第１摘み部の前側端面に開設された円形孔が光源の光によって光るので、上記した趣味感をいっそう満足させやすくなるだけでなく、コミュニケーションツールとしての機能もいっそう十分に発揮されるようになる。
【００１２】
本考案では、上記給電機器がパーソナルコンピュータであり、上記充電機器がモバイル端末機器である、という構成を採用することも可能である。この構成であれば、パーソナルコンピュータの使用中に、充電機器としてのモバイル端末機器、たとえばスマートフォンや携帯電話機、タブレット端末などを充電することが可能になる。
【考案の効果】
【００１３】
以上説明したように、本考案によれば、ユーザが、本考案に係る充電ケーブルをモバイル端末機器などの充電に利用することが可能になることは勿論、そのことと併せて、ユーザにとっての趣味感を満足させたり、コミュニケーションに役立てることが可能になる充電ケーブルを提供することが可能になる。
【図面の簡単な説明】
【００１４】
【図１】本考案の実施形態に係る充電ケーブルを一部省略して示した概略外観斜視図である。
【図２】入力コネクタの正面図である。
【図３】第１摘み部に内蔵されている光源を示した説明図である。
【図４】本考案に係る充電ケーブルについての摘み部外観の原形を備えたフィギュアの正面図である。
【考案を実施するための形態】
【００１５】
図１は本考案の実施形態に係る充電ケーブルＡを一部省略して示した概略外観斜視図である。この充電ケーブルＡは、パーソナルコンピュータなどの給電機器側の出力コネクタ(不図示）)に接続可能な入力コネクタ５０と、スマートフォンやタブレット端末、携帯電話機といった充電機器側の入力コネクタ(不図示）)に接続可能な出力コネクタ６０と、を有している。そして、入力コネクタ５０に備わっている第１摘み部５２及び出力コネクタ６０に備わっている第２摘み部６２から突出されている端子５１，６１同士が、第１及び第２の各摘み部５２，６２から引き出された中継ケーブル７０によって電気的に接続されている。
【００１６】
図示例の充電ケーブルＡにおいて、入力コネクタ５０の端子５１は、図示していない給電機器としてのパーソナルコンピュータに搭載されている出力コネクタの端子に適合するＵＳＢ端子であり、第１摘み部５２を指で掴んでパーソナルコンピュータの出力コネクタに差し込むことによってその出力コネクタに電気的に接続することができる。また、出力コネクタ６０の端子６１は、図示していない充電機器としてのタブレット端末やスマートフォン、携帯電話機などのモバイル端末機器に搭載されている入力コネクタの端子に適合する端子であり、第２摘み部６２を指で掴んでモバイル端末機器の入力コネクタに差し込むことによってその入力コネクタに電気的に接続することができる。なお、充電機器には充電可能な二次電池が搭載されていて、充電はこの二次電池に対して行われる。
【００１７】
このように構成されている充電ケーブルＡによると、パーソナルコンピュータの出力コネクタの端子から出力される電力を、入力コネクタ５０の端子５１、中継ケーブル７０、出力コネクタ６０の端子６１及びモバイル端末機器の入力コネクタを経てモバイル端末機器に供給してその二次電池を充電することが可能である。
【００１８】
図２は上記した入力コネクタ５０の正面図である。この入力コネクタ５０は、その第１摘み部５２の材質が合成樹脂成形体である。また、この入力コネクタ５０の形状は横長６面体形状（横長の中空直方体形状）になっている。そして、横長６面体形状をなす入力コネクタ５０の平坦な横長の前側端面に、図形模様としての２つの円形状の図形５３，５３と１つの三角形状の図形５４とが施されている。さらに具体的に説明すると、第１摘み部５２は、図４で説明したフィギュアの頭部１に似せて形作られていて、その大きさが異なるだけで、色味や造作は図４で説明したフィギュアの頭部１をそっくりそのまま再現したものである。そして、上記の２つの円形状の図形５３，５３が図４に示したフィギュアの頭部１の目相当部１３，１３に相応し、三角形状の図形５４が図４に示したフィギュアの頭部１の鼻口相当部１４に相応している。
【００１９】
図３は第１摘み部５２に内蔵されている光源８０を示した説明図である。上記した実施形態において、入力コネクタ５０の第１摘み部５２は中空であり、そのような中空の第１摘み部５２には、図３に示した光源８０が内蔵されている。この光源８０は、入力コネクタ５０の端子５１に所定の電圧が印加されているときには制御回路８１の作用によって点灯して発光し、その端子５１に対する所定の電圧の印加が行われていないときや、電圧の印加が解除されたときには、制御回路８１の作用によって消灯するようになっている。光源８０の発光色は赤、橙、青などの任意の色から選択することが可能である。また、制御回路８１の作用を適切に設定しておくことによって、光源８０の発光モードとして、点灯持続モードや点滅モードを選択することが可能になる。
【００２０】
図３を参照して説明したように第１摘み部５２に光源８０を内蔵しているのは、入力コネクタ５０が給電機器の出力コネクタに接続されているか否かといった状況や、充電ケーブルＡに給電機器から電力が供給されているか否かといった状況を、ユーザが容易にしかも確実に確認することができるようにすることを意図している。そのため、第１摘み部５２に、光源８０の光が外部から見えるようにするための対策を講じておくことが要求される。この要求に対処するには、第１摘み部５２に備わっている６面のうちのいずれかの端面に光通過孔を形成して、光源８０の光がその光通過孔を通して外部から見えるようにしておくことが有益である。そこで、この実施形態では、第１摘み部５２の横長の前側端面に施されている図形模様としての２つの円形状の図形５３，５３を、その前側端面に開設された円形孔５３ａ，５３ａの開口縁によって表現させると共に、それらの円形孔５３ａ，５３ａを通して光源８０の光が外部から見えるように工夫している。こうしておくと、第１摘み部５２に別途に光通過孔を開設する必要がなくなるばかりか、第１摘み部５２の前側端面によって表現されているフィギュアの顔面の左右の両目が、光源８０の発光時に光って見えるようになるので、ユーザの趣味感を満足させたり、コミュニケーション機能を高めたりすることに顕著に役立つようになる。
【００２１】
この実施形態では、入力コネクタ５０の第１摘み部５２だけの形状を、図４に示したフィギュアの頭部１に似せて形作っているけれども、この点は、入力コネクタ５０及び出力コネクタ６０の第１及び第２の両方の摘み部５２、６２の各形状を、同図のフィギュアの頭部１に似せて形作っておいても、あるいは、出力コネクタ６０の第２摘み部６２だけの形状を、同図のフィギュアの頭部１に似せて形作っておいてもよい。
【００２２】
本考案に係る充電ケーブルＡにあっては、入力コネクタ５０や出力コネクタ６０の第１及び第２の各摘み部５２，６２を、図４のフィギュアの頭部１の形状に似せて形作ることは必ずしも必須ではなく、その他の有体物、たとえば、自然物や人形その他の人工物を含む有形物に似せて作られていてもよく、そうした場合であっても、摘み部５２，６２の形状ないしデザインが斬新になり、ユーザにとっての趣味感を満足させることに役だったり、周囲の人とのコミュニケーションに役立ったりするという利点が得られる。
【００２３】
また、本考案に係る充電ケーブルＡにおいて、入力コネクタ５０を接続する相手方出力コネクタを備える給電機器には、パーソナルコンピュータだけでなく、携帯用の充電用蓄電池なども含まれる。さらに、出力コネクタ６０を接続する相手方入力コネクタを備える充電機器には、携帯電話機、スマートフォン、タブレット端末などのモバイル端末機器が含まれる。
【符号の説明】
【００２４】
Ａ  充電ケーブル
１  頭部
１２  顔面相当部
１３  目相当部
１４  鼻口相当部
５０  入力コネクタ
５１  端子
５２  第１摘み部
５３  円形状の図形
５３ａ  円形孔
５４  三角形状の図形
６０  出力コネクタ
６１  端子
６２  第２摘み部
７０  中継ケーブル
８０  光源
【図１】
0003193607.tif 000003
【図２】
0003193607.tif 000004
【図３】
0003193607.tif 000005
【図４】
0003193607.tif 000006